(57)【要約】      （修正有）【課題】便座本体に設けられた吸引機構により吸引された臭気を、化学的に処理することなく、簡便に外部に排出可能な便座を提供する。【解決手段】便座１０は、便座本体１１と、便座本体の内部に設けられた、臭気を吸引する吸引機構（ファン１２）と、吸引機構により吸引した臭気の流路となる臭気用配管１３と、臭気用配管の下流側末端に設けられた、便器の排水管の内部に連通するように接続可能な排水管接続部１６と、臭気用配管の内部であって吸引機構から排水管接続部の間に設けられた、吸引機構から排水管接続部へ向かう方向にのみ臭気を流すことが可能な逆止弁１５とを有する。【選択図】図１
0003207979.tif 000002
【実用新案登録請求の範囲】
【請求項１】
便座本体と、
前記便座本体の内部に設けられた、臭気を吸引する吸引機構と、
前記吸引機構により吸引した臭気の流路となる臭気用配管と、
前記臭気用配管の下流側末端に設けられた、便器の排水管の内部に連通するように接続可能な排水管接続部と、
前記臭気用配管の内部であって前記吸引機構から前記排水管接続部の間に設けられた、前記吸引機構から前記排水管接続部へ向かう方向にのみ前記臭気を流すことが可能な逆止弁と
を有する便座。
【請求項２】
前記臭気用配管が、前記便座本体の内部に形成された空洞部と、前記空洞部と連通するホースとからなる請求項１に記載の便座。
【請求項３】
前記逆止弁が、前記便座本体の内部に設置されている請求項１又は２に記載の便座。
【考案の詳細な説明】
【技術分野】
【０００１】
本考案は、便座本体に設けられた吸引機構により吸引された臭気を便器の排水管に導入して排水と一緒に排出可能な便座に関する。
【背景技術】
【０００２】
近年、便器又は便座に臭気吸引口を設けて便器周囲の臭気を強制的に吸引することで脱臭機能を持たせることが検討されている。特許文献１には、臭気吸入孔を有する臭気吸入ガイドと吸入推進器と臭気を消す消臭フィルターとを備えたことを特徴とする消臭装置付便器が記載されている。特許文献２には、便器ボウル部上縁に設けた中空リムのボウル部に臨む側が上方から死角となる部分がない角度でオーバーハングした案内凹部とされ、この案内凹部に供給された洗浄水が案内凹部に沿って旋回しつつボウル部を洗浄する水洗便器において、前記案内凹部に沿った洗浄水の旋回流の接線よりも外側に臭気吸引口が形成され、この臭気吸引口と排気口とをつなぐ通気路のうち臭気吸引口に最も近い箇所は洗浄水の流れ方向と略反対方向に延びていることを特徴とする水洗便器が記載されている。
【０００３】
また、特許文献３には、上部にリムが形成された便鉢と、洗浄水を貯めることが可能な貯水部を有するトラップと、前記洗浄水を供給する洗浄水供給部と、洗浄後の水を排出する排水部と、前記トラップの下流側において前記排水部と外部とを連通する通気路と、前記通気路に連通しかつ前記リムの高さ以上の高さに設けられた、外部から前記排水部へ向かう方向のみ流体を流すことが可能な逆止弁とを有する便器が記載されている。
【先行技術文献】
【特許文献】
【０００４】
【特許文献１】特開平５−２９５７７７号公報
【特許文献２】特開２００６−２３３５６７号公報
【特許文献３】実用新案登録第３２０６４２７号公報
【考案の概要】
【考案が解決しようとする課題】
【０００５】
脱臭機能を発揮させるためには、吸引した便器周囲の臭気を、特許文献１に記載されているように吸引した臭気を消臭フィルター等で化学的に処理したり、特許文献２に記載されているように排気装置によりトイレ外に排出したりする必要がある。しかし、消臭フィルターには寿命があるため頻繁に交換しなければならず、手間とコストがかかる。既存のトイレに排気装置を設置するのにもコストがかかり、トイレの構造によっては新たに排気装置を設置することができない場合もある。
【０００６】
また、特許文献３のように、便座等に設けられた吸引機構により吸引された臭気を便器の排水部に導入して排水と一緒に排出可能とする方法も考えられる。しかし、便器内部のトラップの下流側において排水部と外部とを連通する通気路が必要であるため、既存の便器を利用する場合には、連通路となる穴をわざわざ開ける必要があった。また、便器の内部構造の制約から、そのような通気路を形成すること自体が困難な場合もあった。
【０００７】
そこで、本考案は、便座本体に設けられた吸引機構により吸引された臭気を、化学的に処理することなく、簡便に外部に排出可能な便座を提供することを目的とする。
【課題を解決するための手段】
【０００８】
本考案は、便座本体と、前記便座本体の内部に設けられた、臭気を吸引する吸引機構と、前記吸引機構により吸引した臭気の流路となる臭気用配管と、前記臭気用配管の下流側末端に設けられた、便器の排水管の内部に連通するように接続可能な排水管接続部と、前記臭気用配管の内部であって前記吸引機構から前記排水管接続部の間に設けられた、前記吸引機構から前記排水管接続部へ向かう方向にのみ前記臭気を流すことが可能な逆止弁とを有する便座である。
【考案の効果】
【０００９】
本考案によれば、便座本体に設けられた吸引機構により吸引された臭気を、化学的に処理することなく、簡便に外部に排出可能な便座を提供することができる。
【図面の簡単な説明】
【００１０】
【図１】本考案の一実施形態に係る便座の内部構造を示す模式的断面図である。
【図２】本考案の一実施形態に係る便座を設置した便器全体の内部構造を示す模式的断面図である。
【考案を実施するための形態】
【００１１】
本考案の一実施形態に係る便座の内部構造を図１に示し、その便座を設置した便器全体の内部構造を図２に示す。
【００１２】
本考案の便座１０において、便座本体１１の内部には臭気の流路となる空洞部１３が設けられており、その流路の途中（内側の入口付近）には臭気を吸引する吸引機構としてのファン１２が設けられている。このファンが稼働することで、便座本体１１の内側の臭気は、空洞部１３側に吸引され、空洞部１３を流れることになる。空洞部１３は、臭気の流路として機能するように形成されていればよく、例えば筒状の配管のように形状とすることができる。
【００１３】
便座本体１１における空洞部１３の出口側（下流側端部）には、空洞部１３と連通するようにホース１４が接続されている。したがって、ファン１２により吸引された臭気は、便座本体１１の空洞部１３を通過してホース１４に導かれ、ホース１４の内部を流れることになる。ホース１４は、空洞部１３を通過してきた臭気の流路として機能するように接続されていればよく、その内径及び長さ、さらにはホースを形成する材料などはトイレにおける便器２０や排水管３０の配置状況に応じて適宜選択することができる。後述するようにホース１４と排水管３０と接続することを考慮して、ホース１４の長さはある程度余裕をもって設定することが好ましく、またホース１４を便座本体１１から排水管３０まで引き回せるように、ホース１４は柔らかい材料で形成されていることが好ましい。
【００１４】
ホース１４の出口側（下流側端部）には、排水管接続部１６が設けられており、便器２０の排水管３０の内部に連通するように接続可能となっている。すなわち、図２に示すように、ホース１４は、排水管接続部１６により便器２０の排水管３０に接続することができる構成となっている。こうすることで、ファン１２により吸引された臭気は、臭気の流路としての空洞部１３及びホース１４（両者を合わせて「臭気用配管」となる。）を通過して排水管３０の内部に導かれ、最終的には排水管３０からトイレの外部に排出されることになる。換言すれば、本考案によれば、ファン１２により吸引された臭気を、化学的に処理することなく便器２０の排水管３０に導入することができ、排水と一緒に外部に排出することができる。
【００１５】
排水管接続部１６としては、排水管３０に接続可能なものから適宜選択することができる。例えば、排水管３０に雄ネジ構造の分岐栓が設けられている場合、ホース１４の下流側端部に設けられた排水管接続部１６は、排水管３０側に雄ネジ構造と接続可能な雌ネジ構造を有していることが好ましい。排水管接続部１６の内径は、１〜３ｍｍ程度が好ましく、例えば２ｍｍとすることができる。
【００１６】
ここで、本考案の便座１０を設置する便器２０の構造について説明する。図２に示す便器２０は、便鉢２１とトラップ２４と洗浄水供給部２７と排水部２６とを有している。便鉢２１の上部にはリム２２（溢れ縁）が形成されており、便鉢２１の下方には、排水部２６に連通する配管に、洗浄水を貯める第一貯水部２３を有するトラップ２４が形成されている。第一貯水部２３に貯められた水は、静止状態では便鉢２１から排水部２６に連通する配管を完全に塞いでいるため、排水部２６の臭気が便鉢２１を通して外部に放出されることはない。
【００１７】
便器２０で用を足した後は、洗浄水タンク２８に貯められた洗浄水の一部又は全部を洗浄水供給部２７から供給することで、便鉢２１の表面を洗浄するとともに第一貯水部２３の水を入れ替える。このとき、もともと第一貯水部２３に貯められていた水の一部が下流側に流れ出し、第二貯水部２５に貯められていた水と相俟ってトラップ２４内が満水状態になり、サイホン作用によって第一貯水部２３に貯められていた水（及び汚物）の全てが排水部２６に導かれ、最終的には排水管３０から排出される。
【００１８】
なお、図２では、いわゆるサイホン式と呼ばれる洗浄タイプの便器２０を模式的に表しているが、便器２０の洗浄タイプはサイホン式に限らず、洗い落とし式、セミサイホン式、ネオボルテックス式、ワイドボルテックス式、サイホンゼット式、ブローアウト式、サイホンボルテックス式、トルネード式、ツイントルネード式、シーケンシャルバルブ式、ダイレクトバルブ式、エアドライブ式、パワードライブ式、ターントラップ式、ハイブリッドエコロジーシステムなどが利用できる。
【００１９】
本考案の便座１０は、臭気用配管（空洞部１３又はホース１４）の内部に逆止弁１５が設けられている。逆止弁１５は、臭気の吸引機構であるファン１２から排水管接続部１６の間に設けられ、ファン１２から排水管接続部１６へ向かう方向にのみ臭気を流すことが可能なものである。こうすることで、ファン１２により吸引された臭気は、臭気用配管を通過して排水管３０の内部に導かれるとともに、それが逆流することはなくなる。すなわち、逆止弁１５は排水管接続部１６からファン１２へ向かう方向には流体を流さないことから、排水管３０付近の臭気や排水などが臭気用配管を通じてファン１２側に流れてくることはない。
【００２０】
逆止弁１５の設置位置は、便鉢２１に形成されたリム２２の高さ以上の高さとすることが好ましい。通常、便座本体１１は便鉢２１に形成されたリム２２の上に設置されることから、逆止弁１５が便座本体１１の内部に設置されていれば、この条件を満たすことになる。こうすることで、仮に排水管３０が詰まって水が溢れるような状況になっても、排水は溢れ縁から溢れることになり、逆止弁１５の手前までしか到達しない。もっとも、逆止弁１５は、ファン１２から排水管接続部１６へ向かう方向にのみ流体を流すことが可能であることから、いずれにしても排水が臭気用配管を通じてファン１２側に流れてくることはない。
【００２１】
以上のような本考案に係る便座では、臭気の流路となる臭気用配管が、その下流側端部に設けられた排水管接続部により、便器の排水管の内部に連通するように接続可能となっているため、便座に設けられた吸引機構により吸引された臭気を排水管に導入することができ、簡便に排水と一緒に外部に排出することができる。また、吸引機構から排水管接続部へ向かう方向にのみ流体を流すことが可能な逆止弁が設けられているため、排水管の臭気や排水が逆流してくることはない。したがって、本考案によれば、便座本体に設けられた吸引機構により吸引された臭気を消臭フィルター等により化学的に処理する必要がなくなり、また臭気を排出する目的でトイレに設置される排気装置も必要なくなる。
【００２２】
また、本考案に係る便座に形成された臭気用配管が通気機能を持っているため、例えば集合住宅の各戸に本考案に係る便座を設置した場合、排水配管に伸張通気を形成する必要がなくなり、最上階の管頭を密閉することができる。さらに、排水部の詰まりが発生した場合でも、その解消の補助として臭気用配管を利用することもできる。
【符号の説明】
【００２３】
１０  便座
１１  便座本体
１２  ファン
１３  空洞部
１４  ホース
１５  逆止弁
１６  排水管接続部
２０  便器
２１  便鉢
２２  リム
２３  第一貯水部
２４  トラップ
２５  第二貯水部
２６  排水部
２７  洗浄水供給部
２８  洗浄水タンク
３０  排水管
【図１】
0003207979.tif 000003
【図２】
0003207979.tif 000004